(57)【要約】【課題】製造コストが安価で且つ連結作業が容易な棚の連結部構造を提供する。【解決手段】桁部材21の両板材23同士の間に配置されて当該板材とビーム部材22の端部フランジ部22ａとをボルト・ナットにより連結し得る側部折曲げ部24を両側に有する第１連結体24と、この第１連結体の内側に配置されて係合突起と係合穴部とにより当該第１連結体に係合し補強し得ると共に第１連結体の両側部折曲げ部に対応する側部折曲げ部25ｂを両側に有する第２連結体25とを具備し、桁部材とビーム部材とをボルト・ナットにより連結する際に、フランジ付き六角ナットのフランジ部を両連結体の側部折曲げ部24ｂ，25ｂ同士の隙間に配置するとともに六角ナットの六角頭部を第２連結体の側部折曲げ部25ｂに形成された六角穴24ｆに挿入させた状態で、ビーム部材側から端部フランジ部及び第１連結体の側部折曲げ部を挿通し先端ねじ部を六角ナットに螺合させるようにしたもの。【選択図】図８
2010241587.tif 000002
【特許請求の範囲】
【請求項１】
所定間隔を有して並置されるとともにそれぞれ左右一対の板材からなる桁部材と、これら桁部材同士を連結するビーム部材とを有する棚における上記各部材同士の連結部構造であって、
上記桁部材の両板材同士の間に配置されて各板材とそれに対応するビーム部材の端部に設けられた端部板材とをボルト・ナットにより連結し得る側部折曲げ部を両側に有する第１連結体と、この第１連結体の内側に配置されて係合突部と係合穴部とにより当該第１連結体に係合し補強し得るとともに上記第１連結体の両側部折曲げ部に対応する側部折曲げ部を両側に有する第２連結体とを具備し、
上記桁部材とビーム部材とをボルト・ナットにより連結する際に、フランジ付き角ナットのフランジ部を両連結体の側部折曲げ部同士の隙間に配置するとともに角ナットの角状頭部を第２連結体の側部折曲げ部に形成された角状穴に挿入させた状態で、ビーム部材側から端部板材および第１連結体の側部折曲げ部を挿通し先端ねじ部を上記フランジ付き角ナットに螺合させるようにしたことを特徴とする棚の連結部構造。
【請求項２】
桁部材上に柱部材が配置される場合の請求項１に記載の連結部構造であって、
第１連結体の上部が折り曲げられてなる上折曲げ部に、柱部材の下端部に設けられた端部板材を載置した状態で、これら上折曲げ部と端部板材とをボルト・ナットにより連結し得るように構成したことを特徴とする棚の連結部構造。
【発明の詳細な説明】
【技術分野】
【０００１】
本発明は、複数の収納空間を有する棚部が下部フレーム体上に設けられてなる移動式または固定式の棚における構成部材同士の連結部構造に関するものである。
【背景技術】
【０００２】
多数の物品を収納し得る棚としては、例えば収納間口が広くされた移動式または固定式のものがある。
このような棚は、左右に細長くされた、つまり、平面視が長方形状にされた下部フレーム体と、この下部フレーム体の上面に立設された棚部とから構成されている。そして、また下部フレーム体は所定間隔おきに配置された桁部材と、これら桁部材同士間に配置されるビーム部材とから構成され、さらにこの桁部材上に棚部を形成する柱部材が立設されたものである。なお、柱部材間にはブレース材などの補強部材が設けられており、柱部材とブレース材とにより、仕切りとしての側壁部材が構成されている。
【０００３】
ところで、従来、図１１に示すように、構成部材同士の連結部、例えば桁部材５１と柱部材５２との連結部においては、桁部材５１側に柱部材５２を嵌入可能な凹状部５１ａを形成しておき、連結時にあっては、上記凹状部５１ａ内に柱部材５２を挿入させた後、外側からさらに連結板材５３を用いてボルト・ナット５４により両者を連結していた（例えば、特許文献１参照）。また、ビーム部材についても、桁部材の側面に、やはり、ボルト・ナットを用いて連結されていた。
【先行技術文献】
【特許文献】
【０００４】
【特許文献１】特開平０７−６９４０９号公報
【発明の概要】
【発明が解決しようとする課題】
【０００５】
上記従来の連結部構造によると、柱部材５２を桁部材５１に連結するために、少なくとも桁部材５１に凹状部５１ａを形成する必要があり、したがって製造コストが高くなるとともに、両者の連結作業に手間を要するという問題があった。
【０００６】
そこで、本発明は、製造コストが安価で且つ連結作業が容易な棚の連結部構造を提供することを目的とする。
【課題を解決するための手段】
【０００７】
上記課題を解決するため、本発明の請求項１に係る棚の連結部構造は、所定間隔を有して並置されるとともにそれぞれ左右一対の板材からなる桁部材と、これら桁部材同士を連結するビーム部材とを有する棚における上記各部材同士の連結部構造であって、
上記桁部材の両板材同士の間に配置されて各板材とそれに対応するビーム部材の端部に設けられた端部板材とをボルト・ナットにより連結し得る側部折曲げ部を両側に有する第１連結体と、この第１連結体の内側に配置されて係合突部と係合穴部とにより当該第１連結体に係合し補強し得るとともに上記第１連結体の両側部折曲げ部に対応する側部折曲げ部を両側に有する第２連結体とを具備し、
上記桁部材とビーム部材とをボルト・ナットにより連結する際に、フランジ付き角ナットのフランジ部を両連結体の側部折曲げ部同士の隙間に配置するとともに角ナットの角状頭部を第２連結体の側部折曲げ部に形成された角状穴に挿入させた状態で、ビーム部材側から端部板材および第１連結体の側部折曲げ部を挿通し先端ねじ部を上記フランジ付き角ナットに螺合させるようにしたものである。
【０００８】
また、請求項２に係る棚の連結部構造は、桁部材上に柱部材が配置される場合の請求項１に記載の連結部構造であって、
第１連結体の上部が折り曲げられてなる上折曲げ部に、柱部材の下端部に設けられた端部板材を載置した状態で、これら上折曲げ部と端部板材とをボルト・ナットにより連結し得るように構成したものである。
【発明の効果】
【０００９】
上記連結部構造によると、桁部材とビーム部材とを連結する際に、第１連結体の内側に第２連結体を配置するとともに、両連結体の側部折曲げ部同士の隙間に連結用ボルトが螺合されるフランジ付き角ナットを配置するようになし、この状態でビーム部材側の端部板材および第１連結体の側部折曲げ部に連結用ボルトを挿通させるとともに、第２連結体の側部折曲げ部に保持されたフランジ付き角ナットに螺合させて締め付けることにより両者の連結を行うようにしたので、従来のように、桁部材の端部に凹状部を形成して柱状部を当該凹状部に嵌入させて結合するようにしたものに比べて、その構造が簡単となり、したがって製造コストの低減化を図ることができる。
【００１０】
また、連結用ボルトにより、ビーム部材を第１連結体の第１側部折曲げ部に挿通させてフランジ付き角ナットを螺合させて締め付ける場合には、フランジ付き角ナットが第２連結体の角状穴に嵌入されているため、単に、ビーム部材側から連結用ボルトを締め付けるだけで済み、したがって連結作業を容易に行うことができる。
【図面の簡単な説明】
【００１１】
【図１】本発明の実施例に係る移動棚設備の全体構成を示す側面図である。
【図２】同移動棚設備の全体構成を示す平面図である。
【図３】同移動棚設備における移動棚の平面図である。
【図４】同移動棚における桁部材の側面図である。
【図５】同移動棚における桁部材の平面図である。
【図６】同桁部材の要部側面図である。
【図７】図６のＡ−Ａ断面図である。
【図８】同移動棚の連結部構造の要部斜視図である。
【図９】同連結部構造における第１連結体と第２連結体との配置関係を示す分解斜視図である。
【図１０】同第１連結体と第２連結体との連結状態を示す要部断面図である。
【図１１】従来例に係る棚の連結部構造を説明する要部斜視図である。
【発明を実施するための形態】
【００１２】
以下、本発明の実施の形態に係る棚の連結部構造を具体的に示した実施例に基づき説明する。なお、本実施例においては、固定式の棚（以下、固定棚という）の間に、複数の移動式の棚（以下、移動棚という）が配置されてなる棚設備に設けられる棚について説明する。
【００１３】
図１および図２に示すように、この棚設備は、例えば６台の移動棚１と、これら移動棚１群の移動経路３の両端外方位置に配設された固定棚２とから構成され、これら一対の固定棚２，２間に、６台の移動棚１が移動方向（以下、前後方向ともいう）Ａに往復移動自在に配設されている。なお、移動方向（前後方向）Ａと直交する方向を棚１の幅方向（または左右方向ともいう）Ｂという。
【００１４】
そして、上記移動棚１および固定棚２は、本発明の要旨である連結部構造を有するもので且つ両方の棚１，２における連結部構造は、基本的には同一構造であるため、本実施例においては、移動棚１の連結部構造について説明する。
【００１５】
上記移動棚１は、底部に車輪１３を有して床面Ｆ上を移動自在にされた下部フレーム体１１と、この下部フレーム体１１上に据え付けられる棚部１２とから構成され、この棚部１２には、上下方向および水平方向に複数の収納空間（収納部）１２ａが形成されている。
【００１６】
上記下部フレーム体１１は、図１および図３に示すように、所定間隔おきに並置され且つ前後方向（第１方向）Ａで設けられた複数（例えば、６個）の桁部材２１と、これら桁部材２１と直交する左右方向（第２方向）Ｂで配置されて隣接する桁部材２１，２１同士をその前後位置および中間位置で連結する複数（例えば、４×６箇所＝１２個）のビーム部材２２とから構成されている。なお、各桁部材２１の前後に車輪１３が２個または４個配置されるとともに、各桁部材２１におけるいずれかの車輪１３が電動機１４に連結されて駆動し得るように構成されている。
【００１７】
上記棚部１２は、桁部材２１上に且つ鉛直方向に配置される側壁部材３１と、これら側壁部材３１，３１同士間に且つ水平方向に配置されて上下に収納空間１３ａを形成し得る収納物品の受け部材３２とから構成されている。また、上記側壁部材３１は、柱部材３３と、これら柱部材３３同士を連結するブレース材などの連結材３４とから構成されている。
【００１８】
上記桁部材２１は、前後方向で配置される左右一対の板材２３と、これら一対の板材２３同士を連結し得る第１連結体２４および第２連結体２５とから構成されている。なお、板材２３の上縁部２３ａは内側に折り曲げられるとともに、下縁部２３ｂは外側に折り曲げられている。
【００１９】
上記第１連結体２４は、図８〜図１０に示すように、両板材２３同士間で且つ当該板材２３と直交する鉛直面内に配置される第１中央鉛直部２４ａと、この第１中央鉛直部２４ａの左右の側縁が上記板材２３に沿うように９０度折り曲げられてなる左右の第１側部折曲げ部２４ｂと、上記第１中央鉛直部２４ａの上縁が第１側部折曲げ部２４ｂ側に水平方向で折り曲げられてなる上折曲げ部２４ｃとから構成されている。
【００２０】
上記第２連結体２５は、第１連結体２４の各折曲げ部２４ｂ，２４ｃの内側空間Ｓ内に配置されて第１連結体２４の強度を補強するためのもので、図８〜図１０に示すように、第１中央鉛直部２４ａと平行な第２中央鉛直部２５ａと、この第２中央鉛直部２５ａの左右の側縁が第１側部折曲げ部２４ｂと平行となるように折り曲げられてなる左右の第２側部折曲げ部２５ｂと、上記第２中央鉛直部２５ａの下縁が上記第１中央鉛直部２４ａ側に水平方向で折り曲げられてなる下折曲げ部２５ｃとから構成されており、さらに第２中央鉛直部２５ａの上縁には、第１連結体２４の上折曲げ部２４ｃに形成された溝状の係合穴部２４ｄに係脱自在な係合突部２５ｄが設けられるとともに、下折曲げ部２５ｃの先端縁には、第１連結体２４の第１中央鉛直部２４ａに形成された溝状の係合穴部２４ｅに係脱自在な係合突部２５ｅが形成されている。すなわち、両連結体２４，２５は、板体を折り曲げることにより、簡単に製作し得るものである。
【００２１】
そして、上記第１連結体２４の第１側部折曲げ部２４ｂには、板材２３との連結用ボルト４１の挿通穴２４ｆが形成されるとともに、これに対向する第２側部折曲げ部２５ｂには連結用ボルト４１に螺合するフランジ付き六角ナット（角ナットの一例で、フランジナットともいう）４２の六角頭部（角状頭部）４２ｂに外嵌し得る六角穴（角状穴）２５ｆが形成されている。
【００２２】
さらに、上記第１連結体２４の上折曲げ部２４ｃには、柱部材３３の下端に設けられた連結用フランジ部（端部板材）３３ａとを連結するための連結用ボルト４３を挿通し得る挿通穴２４ｇが形成されている。勿論、連結用フランジ部３３ａにもボルトの挿通穴３３ｂが形成されている。
【００２３】
また、ビーム部材２２においても、その端部に連結用フランジ部（端部板材）２２ａが設けられるとともに、この連結用フランジ部２２ａにも連結用ボルト４１を挿通し得る挿通穴２２ｂが形成されている。
【００２４】
上記構成において、桁部材２１にビーム部材２２を連結する作業について説明する。
図８に示すように、所定間隔を有して配置された左右一対の板材２３，２３の端部同士間に、第１連結体２４の内側空間Ｓ内に第２連結体２５が配置され且つフランジ付き六角ナット４２のフランジ部４２ａが両連結体２４，２５の側部折曲げ部２４ｂ，２５ｂ同士の隙間に位置された状態の両連結体２４，２５を挿入（配置）する。勿論、このとき、第２連結体２５の係合突部２５ｄ，２５ｅは全て第１連結体２４の係合穴部２４ｄ，２４ｅに挿入されて、第２連結体２５が第１連結体２４に係合された状態にされている。なお、両連結体２４，２５は、第１連結体２４の上折曲げ部２４ｃが両板材２３の上縁部２３ａの下面に接触するようにまたは上縁部２３ａの下方に位置するように配置される。
【００２５】
次に、ビーム部材２２の連結用フランジ部２２ａを、第１連結体２４の第１側部折曲げ部２４ｂの外側に位置する板材２３に当接させた状態で、連結用ボルト４１を連結用フランジ部２２ａに設けられた挿通穴２２ｂ、板材２３に設けられた挿通穴（図示せず）および第１側部折曲げ部２４ｂに設けられた挿通穴２４ｆを介してフランジ付き六角ナット４２のねじ穴に螺合させて締め付ければ、ビーム部材２２を桁部材２１側に連結することができる。
【００２６】
勿論、この連結用ボルト４１の締め付け時においては、フランジ付き六角ナット４２の六角頭部は第２連結体２５の第２側部折曲げ部２５ｂの六角穴２５ｆに係合されているため、フランジ付き六角ナット４２の回り止めを行う必要がなく、したがって締め付け作業が容易となる。なお、第１連結体２４の第１側部折曲げ部２４ｂの下部は、板材２３に、直接、連結用ボルト４５および４６により連結される。勿論、第１側部折曲げ部２４ｂの下部には、ボルトの挿通穴２４ｈが形成されている。
【００２７】
さらに、ビーム部材２２に柱部材３３を連結する場合、当該柱部材３３の下端に設けられた連結用フランジ部３３ａを、桁部材２１に取り付けられた第１連結体２４の上折曲げ部２４ｃに載置した後、端部フランジ部３３ａおよび上折曲げ部２４ｃに形成された挿通穴３３ｂ，２４ｇに連結用ボルト４３を挿通させ、そしてナット４４を介して両者を締め付ければよい。
【００２８】
上述したように、桁部材２１とビーム部材２２とを連結する際に、第１連結体２４の内側空間Ｓ内に第２連結体２５を配置し、しかもこのとき、両連結体２４，２５の側部折曲げ部２４ｂ，２５ｂ同士の隙間に、連結用ボルト４１が螺合されるフランジ付き六角ナット４２を、そのフランジ部４２ａが位置するようになし、この状態でビーム部材２２側の連結用フランジ部２２ａの挿通穴２２ｂ、両連結体２４，２５の側部折曲げ部２４ｂ，２５ｂに設けられた挿通穴２４ｆに、連結用ボルト４１を挿通させるとともに、第２連結体２５の側部折曲げ部２５ｂ側に保持されたフランジ付き六角ナット４２に螺合させて締め付けることにより両者の連結を行うようにしたので、従来のように、桁部材の端部に凹状部を形成して柱状部を当該凹状部に嵌入させて結合するようにしたものに比べて、その構造が簡単となり、したがって製造コストの低減化を図ることができる。
【００２９】
また、連結用ボルト４１により、ビーム部材２２を第１連結体２４の第１側部折曲げ部２４ｂに挿通させてフランジ付き六角ナット４２を螺合させて締め付ける場合には、フランジ付き六角ナット４２自身は第２連結体２５の六角穴２５ｆに嵌入されているため、単に、ビーム部材２２側から連結用ボルト４１を締め付けるだけで済み、したがって連結作業を容易に行うことができる。
【００３０】
さらに、この連結部構造においては、両連結体２４，２５同士は、係合突部２５ｄ，２５ｅと係合穴部２４ｄ，２４ｅとにより互いに係合されるとともに、これら両連結体２４，２５とビーム部材２２および柱部材３３との連結はボルト・ナットにより行われるため、溶接が一切不要になり、したがって製造が容易となる。
【００３１】
なお、上記実施例に係る連結部構造を有する棚についての構成を以下に示しておく。
この棚は、下部フレーム体の上方に、複数の収納部を有する棚部が設けられてなる棚であって、上記下部フレーム体を、所定間隔おきで配置され且つ第１方向で配置された桁部材と、この桁部材と直交する第２方向で配置されて隣接する桁部材同士を連結するビーム部材とから構成するとともに、上記棚部を、上記桁部材上で且つ鉛直方向に配置される側壁部材と、これら側壁部材同士間に配置されて収納部を形成する収納物の受け部材とから構成し、上記桁部材を、第１方向で配置される左右一対の板材と、これら一対の板材同士を連結する第１連結体および第２連結体とから構成し、上記第１連結体は、上記両板材同士間で且つ当該板材と直交する鉛直面内に配置される第１中央鉛直部と、この第１中央鉛直部の左右の側縁が上記板材に沿って折り曲げられてなる左右の第１側部折曲げ部と、上記第１中央鉛直部の上縁が上記第１側部折曲げ部側に水平方向で折り曲げられてなる上折曲げ部とからなり、上記第２連結体は、上記第１連結体の各折曲げ部の内側空間内に配置されて第１連結体の強度を補強するためのもので、第１中央鉛直部と平行な第２中央鉛直部と、この第２中央鉛直部の左右の側縁が第１側部折曲げ部と平行に折り曲げられてなる左右の第２側部折曲げ部と、上記第２中央鉛直部の下縁が上記第１中央鉛直部側に水平方向で折り曲げられてなる下折曲げ部とからなり、且つ上記第２中央鉛直部の上縁に、第１連結体の上折曲げ部に形成された係合穴部に係脱自在な係合突部を形成するとともに、上記下折曲げ部の先端縁に、第１連結体の第１中央鉛直部に形成された係合穴部に係脱自在な係合突部を形成し、第１連結体の第１側部折曲げ部に、上記板材との連結用ボルトの挿通穴を形成するとともに、これに対向する第２側部折曲げ部に上記連結用ボルトに螺合するフランジ付き角ナットに外嵌し得る角状穴を形成し、さらに上記ビーム部材を、連結用ボルトおよびフランジ付き角ナットを用いて桁部材に連結する際に、第１側部折曲げ部と第２側部折曲げ部との間にフランジ付き角ナットのフランジ部が挿入されるとともに角状頭部が第２側部折曲げ部の角状穴に係合された状態で且つ第２連結体の係合突部を第１連結体の係合穴部に係合させた状態で、ビーム部材の端部に設けられた端部板材側から連結用ボルトを挿通して上記フランジ付き角ナットの角状頭部に螺合させて連結するようにしたものである。
【符号の説明】
【００３２】
Ａ      移動方向
Ｂ      左右方向
Ｓ      内側空間
１      移動棚
２      固定棚
１１      下部フレーム体
１２      棚部
１２ａ    収納空間
２１      桁部材
２２      ビーム部材
２３      板材
２４      第１連結体
２４ａ    第１中央鉛直部
２４ｂ    第１側部折曲げ部
２４ｃ    上折曲げ部
２４ｄ    係合穴部
２４ｅ    係合穴部
２４ｆ    挿通穴
２４ｇ    挿通穴
２５      第２連結体
２５ａ    第２中央鉛直部
２５ｂ    第２側部折曲げ部
２５ｃ    下折曲げ部
２５ｄ    係合突部
２５ｅ    係合突部
２５ｆ    六角穴
３１      側壁部材
３３      柱材
４１      連結用ボルト
４２      フランジ付き六角ナット
４２ａ    フランジ部
４２ｂ    六角頭部
４３      連結用ボルト
【図１】
2010241587.tif 000003
【図２】
2010241587.tif 000004
【図３】
2010241587.tif 000005
【図４】
2010241587.tif 000006
【図５】
2010241587.tif 000007
【図６】
2010241587.tif 000008
【図７】
2010241587.tif 000009
【図８】
2010241587.tif 000010
【図９】
2010241587.tif 000011
【図１０】
2010241587.tif 000012
【図１１】
2010241587.tif 000013